(57)【特許請求の範囲】
【請求項１】
扁平な郵便物を位置調整するための装置であって、該郵便物が、個別化装置の引出平面に対して傾けられており、パイル状になって１つの縁部で載置面によって支持されていて、ストッパ面で位置調整されており、引出個所に向かって可動な搬送手段によって搬送されていて、前記個別化装置が、少なくとも３つの引出ベルトと吸込開口とを有しており、これらの引出ベルトと吸込開口とが、摩擦と吸込空気とによって、それぞれ引き出したい郵便物に作用する形式のもにおいて、
２つの引出ベルト（２）の間に、載置面（１１）とストッパ面（１３）とに対してほぼ垂直に配置された２つのセンサ（３，４）が設けられており、これらのセンサ（３，４）が、引出ベルト平面から突出して、郵便物パイル方向に向かってばね支承されており、これらのセンサ（３，４）がスイッチに接続されており、これらのセンサ（３，４）が、引出ベルト平面から僅かな間隔をおいている状態で切換信号を発信し、これらのセンサ（３，４）に接続されたスイッチが、搬送手段の駆動制御装置に接続されており、搬送手段は、両センサ（３，４）のスイッチが、搬送手段の駆動制御装置に切換信号を発するとすぐに、かつ、この切換信号を発している間ずっとスイッチ・オフされていることを特徴とする、扁平な郵便物を位置調整するための装置。
【請求項２】
センサ（３，４）が、引出ベルト（２）の前方の変向ローラの高さで、引出方向に向かって配置されている、請求項１記載の装置。
【請求項３】
ストッパ面（１３）から最も離れて位置する第１のセンサ（３）が連行レバー（１４）を有していて、ストッパ面（１３）の近傍に位置するセンサ（４）が連行ピン（１５）を有しており、これらの連行レバー（１４）と連行ピン（１５）とは、操作される第１のセンサ（３）が操作されない第２のセンサ（４）を連行するように配置されている、請求項１記載の装置。
【請求項４】
引出方向で引出ベルト（２）の手前に、スイッチを操作するばね支承された少なくとも１つの支持ローラ（８）が配置されていて、該支持ローラ（８）は、郵便物（１０）が厚い場合この領域で変位され、同様に搬送手段の駆動制御装置に接続されている別のスイッチを操作し、別のスイッチが操作されている場合に搬送手段が駆動されないよう作用する、請求項１又は２記載の装置。
【請求項５】
センサ（３，４）の作業領域を越えて郵便物（１０）が傾いている場合に、少なくとも１つの間隔センサが、搬送手段の速度を高め、引出ベルト（２）を遮断するための信号を発信し、郵便物の傾きがセンサ（３，４）の作業領域内に達し次第、又は、センサ（３，４）が再び操作されるとすぐにこのような状態を再び終了させる、請求項１又は２記載の装置。
【請求項６】
搬送手段の速度が、間隔センサによって測定される郵便物（１０）の傾きの大きさに応じて高められる、請求項４記載の装置。
【発明の詳細な説明】
本発明は、請求項１の上位概念に記載の形式の扁平な郵便物を位置調整するための装置に関する。
この装置は、手紙又はこれに類するもののような扁平な郵便物を、パイルから、搬送方向に走行する引出機構によって個別化するための装置である。この引出機構は、引き出そうとする各郵便物に摩擦によって作用する。パイル中の最前方の郵便物と引出ベルトとの間の押圧力を高めるために、引出ベルトのその面で負圧が形成される。引出ベルトには、相応の負圧開口が設けられている（ドイツ連邦共和国特許第４３２８４３４号明細書参照）。
このような装置における問題点は二重引出エラーにある。この場合、最前方の郵便物に加えて別の郵便物が、連行力又は前方縁部の不均一な位置調整に基づき引き出されてしまう。この場合、例えば引出ベルト平面に対して傾けられた郵便物に起因する、引き出し個所への郵便物の不均一な供給が二重引出率を高めるということも示唆されている。
米国特許第３５９８４００号明細書により、郵便物のための渡し装置が公知である。このような装置では、直立する郵便物パイルが、別個に駆動される床下ベルトと分離ナイフとによって個別化装置に供給される。引出過程に不都合に作用する傾斜位置を回避するために、個別化の直前に２つのばね支承されたセンサが位置している。この場合、下方のセンサはスイッチを介して床下ベルトの駆動を制御し、上方のセンサは分離ナイフの駆動を制御する。各スイッチが、センサを介して最前方の郵便物によって必要とされないならば、それぞれ対応する駆動は、最前方の郵便物の上方若しくは下方の部分が、センサを介して各スイッチを操作するまでスイッチ・オンされたままである。これにより傾斜位置は回避される。この場合、床下ベルトと分離ナイフとの駆動が別個に制御されなければならないということが不都合である。
従って本発明の課題は、従来の技術に比して僅かな手間の制御及び駆動によって、個別化装置の引出平面に対して傾いている扁平な郵便物を迅速かつ確実に位置調節するための装置を提供することにある。
この課題は、本発明によれば請求項１に記載の構成により解決される。
両センサの切換信号を連結させることにより、郵便物の上方部分及び下方部分の両センサによって行われる制御を伴う独立した搬送は不要となり、１つの駆動装置を備えた１つの搬送手段しか必要とされない。
別の構成は請求項２以下に記載されている。
センサを取り付けるためには、請求項２に記載したように、センサが、引出ベルトの前方の変向ローラの高さで、引出方向に向かって配置されていると有利である。
個別化装置が所定の空間に、郵便物が上方又は下方に向かって引き出されるように配置されていて、引出ベルトローラの軸線が、これに対して水平又は１０〜３０度だけ傾けられているならば、ストッパ面に沿った郵便物の長手方向縁部での確実な位置調整は、その重力に基づき行うことができない。このことは、多数の郵便物がストッパ面の近傍のセンサに接触しないという結果をもたらす。しかし郵便物が引き出しベルトに対して傾けられていないにもかかわらず、他方のセンサしか操作されないならば、搬送手段は郵便物を引出個所に向かってさらに搬送し、パイル圧は許容できないほど高められる。このことを回避するために、本発明の請求項３に記載のように構成される。
請求項４記載の構成によれば、後方領域が厚い郵便物のもとで、これによりセンサが操作不能となる場合に、パイル圧が不都合に上昇してしまうことが回避される。支持ローラが再び通常位置を有し、厚い手紙が個別化されて初めて、搬送手段が再びスイッチ・オンされて、センサは再びその機能を得ることができる。
郵便物の傾きが、センサによって修正可能な範囲を超過すると、本発明の請求項５によれば、間隔センサを介して引き出し過程が停止され、搬送手段の速度が高められる。搬送手段の高速運転は、その大きな傾きがなくなるまで続けられる。この速度の上昇により、この過程はできるだけ迅速に行われる。
請求項６記載によれば、搬送手段の速度の上昇は、有利には郵便物の傾きに応じて行われる。即ち傾きが大きくなるといっそう、速度も高くなる。
次に図面につき本発明の実施例を詳しく説明する。
第１図は、センサと、引出方向への前方の変向ローラとを備えた個別化装置の引出個所の一部を示す平面図であって、
第２図は、第１図のＸ−Ｘ線に沿った断面図であって、
第３図は、約１０度だけ下方に向かって傾けられた引出方向を有する引出個所の側方図であり、
第４図は、第３図の引出個所のためにずれ動きレバーセンサを備えた第１図のＸ−Ｘ線に沿った断面図である。
第１図には、最上部の変向ローラ１と最上部の引出ベルト２とが示されている。上方のセンサ３がさらに示されていて、その先端部はベルト平面から突出している。このセンサ３は旋回点５とばね６とストッパ７とによって弾性的に支承されており、調節されている。センサ３及び４のためのスイッチは詳しく図示されていない。さらにばね支承された支持ローラ８が示されている。この支持ローラ８の運動は、手紙の形式の厚い郵便物を片面で検知するために利用される。
第２図には、引出ベルト２の断面図と、このベルト内に設けられた吸込開口９が示されている。郵便物１０は、その長手方向縁部で載置面１１に載置されている。搬送手段は、郵便物パイルを引出個所に向かって押しずらす分離ナイフ（図示せず）と、載置面１１としての可動ベルトとから成っている。両運動は互いに連結されている。この搬送手段は、可動の分離ナイフだけから形成されていてもよい。しかしこの場合、不動の載置面１１は小さな摩擦係数を有していなければならない。センサ３，４の先端は搬送ベルト平面から突出していて、ばね力によって郵便物パイルに反作用する。郵便物１０が引き出された後は、センサ３と４とが、郵便物パイルに向かって移動し、搬送手段がスイッチ・オンされる。オペレータは郵便物を必ずしも適正には挿入しないので、郵便物パイルは、引出ベルト平面に対して傾けられて引出個所に搬送される。第２図に示したように傾いている場合は、まず最初に下方のセンサ４が切換点まで操作される。しかし上方のセンサがまだ操作されていないので、搬送手段はセンサパイルをさらに引出個所にまで搬送し、このときパイルを直立させる。これにより上方のセンサ３も切り替わり、搬送手段が停止される。パイルが反対側に傾けられていると、まず最初に上方のセンサ３が、そしてその後初めて下方のセンサ４が切り替わる。このような場合も、パイルが引き出し個所で直立される。
引出ベルト２は時と共に損耗されるので、センサ３及び４の切換点は調整されなければならない。このためには引出ベルト２はプロービングされる。この引出ベルト２に結合されたばね支承されたレバー装置を介してこの要求が解決される。このレバー装置においてはスイッチが調節可能なストッパに固定されている。
後方の部分が比較的厚い郵便物１０から形成される郵便物パイルでは、センサ３及び４がもはや操作されないことにより大きなパイル圧が生じてしまうのを回避するために、外方旋回可能な支持ローラ８が、センサ３，４が引出過程中に再び切り換え点を超え、搬送手段を調節するまで、搬送手段をスイッチ・オフする。即ち、支持ローラ８が、センサ３，４が再び使用できるようになるまで、搬送手段の制御を引き受ける。
郵便物パイルの傾きが、センサ３及び４の作業領域よりも大きいということが生じた場合には、公知の光学的なプロービング測定装置を介して選択可能な傾きの場合は、引出過程が中断されて、搬送手段の速度が高められ、これによりこのような傾斜位置ができるだけ迅速に回避される。引出過程が停止されることによって、隔たりの大きすぎる郵便物が吸引されなければならずひいてはその郵便物の前縁部が、不正確な時間で引き出し個所に到り、これにより曲げられてしまうということが回避される。センサの作業領域における傾きが減少されると、センサは再び、通常の運転速度の搬送手段の制御を行う。
必要に応じて、個別化装置が、スペース中の種々異なる位置をとることができる。郵便物が長手方向縁部縁部で直立し、側方に向かって個別化されるような主要な構成の他に、有利には第３図のような構成も示される。この場合、郵便物は小幅の縁部で直立し、幾分後方に向かって傾けられ、下方に向かって個別化される。
必要に応じて可動ベルト１２又は、搬送手段の一部としてのベルトを有する載置面１１はこの場合、主要な重さ部分を支持面とする郵便物の小幅の方の面を支持する。郵便物１０の長手方向縁部によってストッパ面１３に加えられる圧力は比較的小さいので、全ての郵便物１０がこのストッパ面１３で位置調整されるわけでなく、即ち、郵便物１０が引出ベルト２の平面に対して平行に引き出し個所に到るにもかかわらず、ストッパ面１３のセンサ４は切り換えられず、パイル圧は許容できないほど高められる。このことを回避するために、ストッパ面１３から遠い方のセンサ３が連行レバー１４を有している。このセンサ３が操作されると、センサ３は所定の距離ａを進んだ後、連行レバー１４と、ストッパ面１３のセンサ４の連行ピン１５とを介して、このセンサ４を連行し、これにより、所定の距離ｂを進んだ後、両スイッチの切換点が得られ、搬送手段が停止される。両センサ３，４の切換点は、それぞれの具体的な条件、例えば、郵便物の性質若しくは空間的な方向づけに応じて決定される。例えば図４の例では、上方のセンサの切換点は下方のセンサの前に位置している。何故ならばこの場合に、大きな通過量であると同時に二重引出率が最小であるからである。
【図１】
0003725163.tif 000002
【図２】
0003725163.tif 000003
【図３】
0003725163.tif 000004
【図４】
0003725163.tif 000005